(57)【特許請求の範囲】
【請求項１】
掘削機の歯保持部(１,４３,４６,５２,５９)に接続される歯部(２,５８)であって、歯保持部の突出部（１９,２６,３８,４５）を受容する空洞部と、歯保持部の対応するハウジング(７)内に受容される、前記空洞部の各側部において突出している耳部(３,４,５３,５４)とを具備しているものにおいて、
前記耳部(３,４,５３,５４)が、左右の耳部におけるそれぞれの上端部同士の間の距離が左右の耳部におけるそれぞれの下端部同士の間の距離よりも短くなるようにして、互いに傾斜させられている、
ことを特徴とする歯部。
【請求項２】
歯部(２,５８)の前記空洞部の口部が、実質的に台形の断面形状であって、２つの平行な辺のうちの長い方の辺が底部にあるものを有していることを特徴とする請求項１の歯部。
【請求項３】
突出している耳部(３,４,５３,５４)が、これらの耳部が空洞部の台形の口部の辺と実質的に平行になるようにして、傾斜させられていることを特徴とする請求項２の歯部。
【請求項４】
空洞部の内側の形状及びサイズが、歯保持部の突出部(１９,２６,３８,４５)の周りに緊密に嵌合すべく、その突出部の外側の形状及びサイズと対応していることを特徴とする請求項１〜請求項３のいずれか一項の歯部。
【請求項５】
それぞれの耳部(３,４,５３,５４)の内方部分(２３,２４)であって、耳部を歯部の本体に接続するものが、それが耳部の残りの部分よりも大きい断面積を設けられているということにおいて、補強されていることを特徴とする請求項１〜請求項４のいずれか一項の歯部。
【請求項６】
耳部(３,４,５３,５４)の内方部分(２３,２４)の高さが、耳部の残りの部分の高さよりも大きいことを特徴とする請求項５の歯部。
【請求項７】
耳部(３,４,５３,５４)の内方部分(２３,２４)の幅が、耳部の残りの部分の幅よりも広いことを特徴とする請求項５又は請求項６の歯部。
【請求項８】
各耳部(３,４,５３,５４)が、その上部領域及び下部領域のうちの少なくとも一方に段付き案内部(２１,２２)を設けられていることを特徴とする請求項１〜請求項７のいずれか一項の歯部。
【請求項９】
前記耳部(３,４,５３,５４)のうちの少なくとも１つの耳部が、内方に突出しているストップ部材(２０)であって、保持ピンによってロックされている際に、歯保持部における所望されている位置に歯部を保持するものを設けられていることを特徴とする請求項１〜請求項８のいずれか一項の歯部。
【請求項１０】
掘削機に接続される歯保持部(１,４３,４６,５２,５９)であって、歯部(２,５８)の空洞部内に配置される突出部（１９,２６,３８,４５）と、歯部の突出している耳部(３,４,５３,５４)を受容する、前記突出部の各側部に配置されているハウジング(７)とを有しているものにおいて、
各ハウジング(７)の側部内面であって、耳部(３,４,５３,５４)の内側面に面すべく意図されているものが、左右のハウジングにおけるそれぞれの上端部同士の間の横断距離が左右のハウジングにおけるそれぞれの下端部同士の間の横断距離よりも短くなるようにして、互いに傾斜させられている、
ことを特徴とする歯保持部。
【請求項１１】
突出部(１９,２６,３８,４５)の内方部分であって、突出部を歯保持部の本体に接続しているものが、実質的に台形の断面形状であって、２つの平行な辺のうちの長い方の辺が底部にあるものを有していることを特徴とする請求項１０の歯保持部。
【請求項１２】
各ハウジング(７)の前記側部内面の傾斜が、突出部(１９,２６,３８,４５)の前記台形部分の辺の傾斜と同じであることを特徴とする請求項１１の歯保持部。
【請求項１３】
突出部(１９,２６,３８,４５)の外方部分であって、突出部の自由端部を形成しているものが、実質的に台形の断面形状であって、２つの平行な辺のうちの長い方の辺が頂部にあるものを有していることを特徴とする請求項１０〜請求項１２のいずれか一項の歯保持部。
【請求項１４】
歯保持部が、保持ピン(４８)用の少なくとも１つの穴(５,１５,２９,３０)であって、歯保持部の上面から少なくとも前記ハウジング(７)まで延びているものを具備しており、挿入された位置におけるピンは、歯保持器における所望されている位置に歯部を保持すべく、前記耳部のうちの１つの耳部から内方に突出しているストップ部材をロックすべく構成されていることを特徴とする請求項１０〜請求項１３のいずれか一項の歯保持部。
【請求項１５】
保持ピン用の穴(５,１５,２９,３０)が、歯保持部の本体に、その歯保持部の突出部から離れた位置に設けられていることを特徴とする請求項１４の歯保持部。
【請求項１６】
保持ピン用の穴(５,１５,２９,３０)が、前記ハウジングの前記側部内面に実質的に平行に延びていることを特徴とする請求項１４又は請求項１５の歯保持部。
【請求項１７】
歯保持部が、歯部及び歯保持部の接続方向に延びている側部溝(１７,１８,２７,２８,３６,４２,４４)であって、歯部の耳部の前記ストップ部材(２０)を受容するものを具備していることを特徴とする請求項１４〜請求項１６のいずれか一項の歯保持部。
【請求項１８】
保持ピン用の前記穴(５,１５,２９,３０)が、側部溝(１７,１８,２７,２８,３６,４２,４４)を横切っていることを特徴とする請求項１７の歯保持部。
【請求項１９】
各ハウジング(７)が、その上側領域及び下側領域のうちの少なくとも一方に段付き案内部(１０,１１)を設けられていることを特徴とする請求項１０〜請求項１８のいずれか一項の歯保持部。
【請求項２０】
それぞれのハウジング(７)の後側の部分(１２,１３,１６)であって、歯部(２)の前記耳部を受容するハウジングの口部を形成するものが、歯保持部の支持ゾーンを強化すべく、ハウジングの(１５)よりも幅広であることを特徴とする請求項１０〜請求項１９のいずれか一項の歯保持部。
【請求項２１】
掘削機のバケット用の歯システムであって、請求項１〜請求項９のいずれか一項の歯部と、請求項１０〜請求項２０のいずれか一項の歯保持部であって、その歯部と対応しているものとを具備している歯システム。
【発明の詳細な説明】
【０００１】
本発明は、掘削用に意図されている機械用の連結部に導入される改良であって、当業界において知られている上記目的用連結部に対する新規で独創的な活動に基づく、評価され得る特徴をもたらすものに関する。
【０００２】
特に、本発明の連結部は、種々の変型及びタイプにおける積載・掘削機械に適用可能であるが、より広く、それらは、作業されるべき地面内へ食い入るべく意図されている交換可能な歯部を有しているリムを設けられている作業バケットを有している全ての掘削機に適用可能である。
【０００３】
本発明は、歯部と歯保持部との連結部における、かなりの機能的な改良であって、より大きな強度を与えると共に、起こり得る応力の集中を排除しつつ、歯部における耳部の連結領域を補強するものを提供すべく意図されている。垂直方向の応力に抗する面を増大させることも、可能であり、一般的に、より大きい侵入が、達成される。
【０００４】
同様に、ピンの座部は、通例であるところの歯部における鼻部にではなく、歯保持部の本体内に配設されており、その構成は、ほぼ垂直であり且つ歯保持部の前記本体の一方の側にあり、真直ぐであっても又は僅かに湾曲していてもよい。正面から見て、座部は、通例、外方に傾斜させられており、何故ならば、それは、前記本体の側面の方向に従うからである。更に、座部は、特に現場での作業中における、ピンの装着を改良すべく、入口縁部に面取り部を有している。
【０００５】
図において観察され得るように、歯部及び歯保持部の組立体は、一旦装着されると、図１〜図５に示されている構造を有しており、それらの図において、互いに他方に連結されている歯保持部１及び歯部２と、側面耳部３及び４とが、認められ得、これらの側面耳部３及び４は、歯保持部１のそれぞれの座部であって、それらの構成は詳述されるであろうものの中へ導入されており、そして、同様に、歯部及び歯保持部を固定するピン用の上部開口５が、観察され得る。
【０００６】
ピンの座部であって、その大体の向きが垂直であるものは、詳細には、一の構造を有しており、この構造においては、僅かに湾曲し且つ、正面図において観察されるであろうように、僅かに傾斜した構成であって、歯保持部の鼻部の側面に実質的に平行な軌道を備えているものが、目立っている。
【０００７】
上述の構成は、図１１において特に観察されよう。そして、その図１１において、ピンの導入を改良すべく意図されている、上部面取り部６の構成も、観察されるべきである。
【０００８】
鼻部においてではなく、歯保持部の本体１におけるピンの座部５の構成は、鼻部がより大きい強靭さを得ることを可能にすると共に、組立体の作用領域からピンを移動させ、これにより、ピンは、摩耗から大いに守られる。ピンの座部のほぼ垂直な構成は、取り付け及び取り外しを容易にする一方、その傾斜及び湾曲は、後述されるように、ピンが、耳部のうちの１つの耳部の端部に設けられているアバットメントによって後から捕捉されつつ、ガイド内に保持されるのを、可能にする。同様に、座部の湾曲は、前端壁から穴を移動させ、これにより、破壊を受けやすい脆弱な領域の生成が、避けられる。
【０００９】
ピンを着座させ且つ歯部を固定する構成は、座部の長さよりも短い長さを備えているピンを設計することを可能にし、もって、端部は、歯保持部の本体と同じ高さではなく、これは、ピンの摩耗を低減させ且つ衝撃を減少させ、これにより、ピンの劣化だけでなく、現在幾つかの場合において起きている、ピンの損失の可能性もが、避けられる。
【００１０】
理解されるであろうように、ピン及びその座部の構成は、記載されてきた好適な変型に応じるであろうが、座部は、湾曲していなくて完全に真直ぐであってもよく、又は、図示されているのとは反対の方向に湾曲していてもよい。同様に、横方向における座部の傾斜も、弱められ得又は除かれ得る。
【００１１】
更に、座部は、歯保持部の一方の側又は他方の側に配置されていてもよく、又は、作業が非常に厳しい所での適用では、両方の側に同時に配置されていてもよい。歯保持部内での歯の固定を確実にすべく且つ安定性及び強靭性を高めるべく、第２のピンも、組み込まれ得る。
【００１２】
歯部の耳部３及び４は、歯保持部の側面空洞部内に収容されており、それらの側面空洞部は、好適に、僅かに傾斜させられており、それらのうちの１つの側面空洞部が、図６において番号７で指示されている。耳部３及び４は、好適に、歯保持部の側壁部の方向に対応している傾斜、即ち、図において観察され得るように、横断方向の傾斜を有しており、その傾斜により、上縁部は、下縁部よりも、より内部に向けて配設されている。即ち、傾斜は、耳部の、それらの軸線上での或る回転に対応しており、この結果、耳部の上縁部及び下縁部は、異なる鉛直面内にある。所望されるならば、前記傾斜の角度は、ゼロであってもよい。前記空洞部は、異なるタイプの平坦な面、湾曲した面及び他の面を組み合わせた、段付セクションを有している。それは、側部隔壁８及び９を画成し、これらの側部隔壁８及び９は、拡幅されている土台領域１２及び１３に合流する、それぞれの段部１０及び１１を有しており、それらの土台領域１２及び１３は、下部に相当する、番号１４によって指示されているもののような湾曲部を好適に有しているが、幅広の傾斜した平面又は真直ぐな段部又は支持領域を広くするための他の適切な形状を形成していてもよい。図６において観察され得るように、ピン用の座部５に対応している空洞部７内に、ピン用の座部の壁が、存在している。同様に、空洞部７の前部１５及び後部１６には、整合させられている、それぞれの座部１７及び１８が、存在し、これらの座部１７及び１８は、歯部における耳部の端部アバットメント２０であって、歯保持部を通過するピンを保持するためのものの通過を可能にすべく意図されている、真直ぐなガイドを構成している。通路１７及び１８によって形成されている溝の長さは、歯保持部と一体となるように嵌合すべく意図されている鼻部即ち突出部１９の全長よりも短くてもよく、この様にして、より大きな有効断面が、従って、より大きな強度が、得られる。それにも拘らず、図２２に示されているように、歯保持部４３は、歯保持部の歯部を受容するための座部４４であって、貫通型である、即ち、鼻部即ち後部突出部４５の端部に開口しているものを有していてもよい。
【００１３】
側面耳部のうちの１つの側面耳部(例えば耳部３)に設けられている、歯部を歯保持部内に案内する側面アバットメント突出部は、図１０に示されており、この図１０において、上記アバットメント２０が、観察され得、そのアバットメント２０は、歯保持部の側面座部空洞部内に設けられているガイド内へ導入されている。
【００１４】
鼻部１９の正確な形状は、歯部と歯保持部との間の実際の連結部の構成に影響を与えることなく、変化させられ得、これは、基本的に、耳部３及び４と、それらの対応する座部と、歯保持部の本体における特別な構成でのピン用の座部とに影響を与える。
【００１５】
請求項に示されている本発明の範囲内に留まるであろう種々の変形例が、本発明に導入され得る。従って、例えば、図示されている例においては或る傾斜を有している、耳部の座部は、傾斜を有していなくてもよく、又はベースに垂直であってもよく若しくは湾曲していてもよい。
【００１６】
同様に、耳部及びそれらと嵌合する歯保持部の空洞部の内部段付き形状は、２つの異なる面の組合せ(例えば、平坦/平坦又は平坦/湾曲、湾曲/湾曲又は他のタイプ)であってもよい。段付き形状を有しておらず、平らな又は丸い単一の表面を備えている空洞部も、供給され得る。あるいは、空洞部は、直角の形状を有していてもよく、そして、歯保持部内の歯部用ガイドは、一方の側に又は他方の側に又は同時に両方の側に配設されていてもよい。
【００１７】
歯保持部内の歯部用ガイドであって、この歯部用ガイドの長さが歯保持部の鼻部の長さの一部のみに好適に限定されているものは、その全体に亘って延在していてもよい、ということも、理解されよう。
【００１８】
歯部の耳部３及び４は、段付き案内部と湾曲領域とから構成されている。図９において、例えば耳部４について、段付き案内部２１及び２２と、湾曲端部領域２３及び２４とが、認識され得る。
【００１９】
耳部は、歯保持部の鼻部の側面に平行に僅かに傾斜させられており、歯部の装着の間、歯保持部の側面空洞部内へ嵌入させられる。番号２１及び２２によって指示されているもののような段付き案内部は、平坦な面の組合せである。図面において番号３によって指示されている、耳部のうちの１つの耳部は、横断方向の孔２５であって、ピンの導入を検査し且つ工具の導入によってその取り外しを容易にするためのものを有している。
【００２０】
本発明によると、段付き案内部は、歯保持部内への歯の装着を案内すべく且つ組立体を安定にすべく意図されている。耳部のうちの１つの耳部の端部に設けられているアバットメント２０は、その後方部分によってピンを保持すべく意図されている。
【００２１】
番号２３及び２４によって指示されているもののような湾曲領域は、平坦な表面と断面とを増大させ、垂直方向の応力をより良く分散させることにより、垂直方向の応力に対して耳部を補強すべく機能する。
【００２２】
更に、耳部の特定の形状に関して、図１７及び図１８に示されている変型におけるように、２つのピンの連結をもたらす二重ガイドの場合には、両側に配設されるべきアバットメントが、提供され得、その変型においては、歯保持部の鼻部２６は、２つの側面ガイド２７及び２８であって、それぞれのピン座部２９及び３０に収容されるそれぞれのピン用のものを有している。
【００２３】
図１９は、連結突出部即ち鼻部３２を備えている歯保持部３１の代替実施形態を示しており、その連結突出部即ち鼻部３２は、実質的に正方形又は長方形の角柱形状の端部付加部３３を有しており、この端部付加部３３は、縦方向リブ３４及び３５と、貫通型ではない溝３６とを有しており、この歯保持部の残りの部分は、特に図６に示されている本発明の特徴に本質的に対応している。
【００２４】
図２０は、更に別の代替実施形態３７を示しており、この代替実施形態３７においては、後部突出部即ち鼻部３８は、実質的に六角形の断面を有している付加部３９であって、真直ぐなリブ４０及び４１を側部に備えているものを有している。番号４２によって指示されている、側面溝のうちの１つの側面溝も、示されており、この歯保持部の残りの部分は、以前に示されている変型に係る本発明に対応している。
【００２５】
図２１は、番号４７によって指示されているピン座部を有している歯保持部４６を示しており、そのピン座部は、以前に説明されているようにしてほぼ構成されていると共に、この場合、アーチ形の湾曲変型に対応しており、このピン座部の内部に、弾性ブロック５０によって支持されている心出し・保持付加部４９を搭載しているピン４８が、収容されており、そして、心出し・保持付加部４９の前部膨張部が、保持手段をガイド溝５１内へ部分的に導入している。
【００２６】
図２３は、歯保持部本体５２が歯部の耳部５３及び５４に連結しているところの変型を示しており、それらの耳部５３及び５４は、湾曲した断面を有していると共に、歯保持部の受容溝の嵌め合い形状に適応している。
【００２７】
図２４、図２５及び図２６に示されているように、ピン４８であって、図示されているものにおいては概ねアーチ形であるが、明らかに真直ぐであってもよいものは、弾性ブロック５０と金属ブロック５５とによって形成されている心出し・保持部材を有しており、この心出し・保持部材は、頂部及び低部に、それぞれの付加的な案内フィン５６及び５７であって、突出している金属ブロック５５よりも幅が狭いものを有しており、ピン４８の嵌め合い形状の溝内に収容されている。
【００２８】
図２７は、歯部５８及び歯保持部５９の組立体の水平面に沿う断面を示している。前記断面において、ピン６０が、認められ得、そのピン６０は、弾性ブロック６１と金属突出部６２とをその中に組み込まれており、それらの構造は、図２４〜図２６に示されているものに対応している。
【図面の簡単な説明】
【図１】  本発明を組み入れている歯部及び歯保持部の組立体の斜視図である。
【図２】  図１におけるのと同じ組立体の側面図である。
【図３】  図１におけるのと同じ組立体の平面図である。
【図４】  指示されている平面に沿う縦断面を示している。
【図５】  図２に指示されている水平面に沿う断面を示している。
【図６】  本発明の歯保持部の斜視図である。
【図７】  歯保持部の連結端部の平面図である。
【図８】  歯部の斜視図である。
【図９】  同じ歯部の斜視図である。
【図１０】  図２に指示されている横断平面に沿う、歯部及び歯保持部の組立体の横断面を示している。
【図１１】  図２に指示されている横断平面に沿う、歯部及び歯保持部の組立体の横断面を示している。
【図１２】  図２に指示されている横断平面に沿う、歯部及び歯保持部の組立体の横断面を示している。
【図１３】  図２に指示されている横断平面に沿う、歯部及び歯保持部の組立体の横断面を示している。
【図１４】  図２に指示されている横断平面に沿う、歯部及び歯保持部の組立体の横断面を示している。
【図１５】  歯保持部の側面図である。
【図１６】  図１５に指示されている水平面に沿う歯保持部の断面を示している。
【図１７】  図１５に指示されている平面に沿う横断面を示している。
【図１８】  図１５に指示されている平面に沿う横断面を示している。
【図１９】  本発明に係る歯保持部の代替実施形態の斜視図を示している。
【図２０】  本発明に係る歯保持部の代替実施形態の斜視図を示している。
【図２１】  本発明に係る歯保持部の図式縦断面であって、完全に装着されたピンを示しているものを示している。
【図２２】  本発明に係る歯保持部の側面図であって、貫通構成における、即ち、歯保持部の鼻部の端部内へ開口している、歯部用の座部即ちガイドを示しているものである。
【図２３】  横断方向に湾曲した形状を有している歯部の耳部を伴っている歯保持部の横断面を示している。
【図２４】  ピンの斜視図を示している。
【図２５】  ピンの正面図を示している。
【図２６】  ピンの側面図を示している。
【図２７】  歯部及び歯保持部の組立体の縦断面であって、ピンを断面で示しているものを示している。
【図１】
0003785437.tif 000002
【図２】
0003785437.tif 000003
【図３】
0003785437.tif 000004
【図４】
0003785437.tif 000005
【図５】
0003785437.tif 000006
【図６】
0003785437.tif 000007
【図７】
0003785437.tif 000008
【図８】
0003785437.tif 000009
【図９】
0003785437.tif 000010
【図１０】
0003785437.tif 000011
【図１１】
0003785437.tif 000012
【図１２】
0003785437.tif 000013
【図１３】
0003785437.tif 000014
【図１４】
0003785437.tif 000015
【図１５】
0003785437.tif 000016
【図１６】
0003785437.tif 000017
【図１７】
0003785437.tif 000018
【図１８】
0003785437.tif 000019
【図１９】
0003785437.tif 000020
【図２０】
0003785437.tif 000021
【図２１】
0003785437.tif 000022
【図２２】
0003785437.tif 000023
【図２３】
0003785437.tif 000024
【図２４】
0003785437.tif 000025
【図２５】
0003785437.tif 000026
【図２６】
0003785437.tif 000027
【図２７】
0003785437.tif 000028